(57)【要約】【課題】  輸送時や保管時において収納状態の安全性が向上する収納容器を提供する。【解決手段】  収納容器１１は、物体をその内部に収納することができ、気密性及び可撓性を有するゴム材料よりなり、その内部に気体が封入された円筒形状を有する収納体２１と、弾性、気密性及び可撓性を有するゴム材料よりなり、その内部に気体を封入することができ、収納体２１の長手方向の両端部近傍の側壁２２部分を囲うようにして、連続する平坦面（図示せず）に収納体２１の全てが直接接触しないように取り付けられた一対のドーナツ形状を有する緩衝体３１である保護部材３２ａ及び３２ｂとから構成される。このように構成することによって、輸送時や保管時に収納容器１１が平坦面（図示せず）で横転等した場合にも、収納体２１は直接衝撃を受けることが少なくなるため、収納状態の安全性が向上する。【選択図】  図１
2015091715.tif 000002
【特許請求の範囲】
【請求項１】
収納容器であって、
物体を収納することができる収納体と、
弾性を有し、連続する平坦面に前記収納体の全てが直接接触しないように前記収納体の外面の一部に取り付けられた緩衝体とを備えた、収納容器。
【請求項２】
前記収納体は、気密性を有する可撓性材料よりなり、気体が封入された筒形状を有する、請求項１記載の収納容器。
【請求項３】
前記緩衝体は、前記収納体の長手方向の両端部近傍の側壁部分を囲うように取り付けられた一対のドーナツ形状の保護部材を含む、請求項２記載の収納容器。
【請求項４】
前記保護部材は、気密性を有する可撓性材料よりなり、その内部に気体を封入することができる、請求項３記載の収納容器。
【請求項５】
前記収納体は、物体を収納する収納部と、前記収納部の外面の少なくとも一部を囲うように取り付けられ、前記収納部との間の空間に気体を封入できる外殻部とを含む、請求項２から請求項４のいずれかに記載の収納容器。
【請求項６】
請求項４記載の収納容器を輸送する輸送方法であって、
輸送用コンテナを準備する工程と、
前記保護部材の気体が脱気された状態の前記収納容器を前記輸送用コンテナの内部に収容する工程と、
前記保護部材に気体を注入して、前記保護部材の各々を前記輸送用コンテナの内面に対し押圧状態にして前記収納容器を固定する工程とを備えた、輸送方法。
【発明の詳細な説明】
【技術分野】
【０００１】
この発明は収納容器に関し、特に輸送時や保管時において、物体を安全に収納するために使用される収納容器に関するものである。
【背景技術】
【０００２】
図１４は、特許文献１で開示された従来の輸送貯蔵用密閉容器を示す概略断面図である。
図を参照して、輸送貯蔵用密閉容器７１は、使用済燃料集合体等をその内部に収納し、ステンレスや炭素鋼等の金属によって形成された略円筒形状の容器本体７３と、容器本体７３の外周面に形成された多数の伝熱フィン８５と、伝熱フィン８５の外方端部に固定接続され、容器本体７３を覆うように形成される略円筒形状の外筒９０と、容器本体７３と外筒９０との間に設けられ、高分子材料からなるレジン層８８と、ステンレスや炭素鋼等の金属によって形成され、容器本体７３の上端開口部を閉塞する一次蓋７５と、ステンレスや炭素鋼等の金属によって形成され、一次蓋７５の上面に当接して設置された二次蓋７６と、二次蓋７６の外面全体を覆って設置され、数種類の木材等からなるショックアブソーバ７９と、容器本体７３の下端に溶接された底板８３と、容器本体７３の下部を覆って設置され、数種類の木材等からなるショックアブソーバ８０とから構成される。一次蓋７５及び二次蓋７６は、各々金属ガスケット（図示せず）によって、容器本体７３と密閉状態に保たれている。従って、輸送貯蔵用密閉容器７１は、収納時において高い密閉性を保持するものであった。
【先行技術文献】
【特許文献】
【０００３】
【特許文献１】特開２００２−１７４６９４号公報
【発明の概要】
【発明が解決しようとする課題】
【０００４】
上記のような従来の輸送貯蔵用密閉容器７１では、ショックアブソーバ７９及びショックアブソーバ８０は数種類の木材等から形成されたものであるため、落下時や転倒時における衝撃力が十分緩和されずに、容器本体７３へと伝わる虞があった。
【０００５】
又、輸送貯蔵用密閉容器７１の容器本体７３、一次蓋７５及び二次蓋７６の各々は、ステンレスや炭素鋼等の金属によって形成されたものであるため、重量が大きく、輸送時の取扱いが困難であった。
【０００６】
更に、ステンレスや炭素鋼等の金属は比重が大きいため、比重が小さい水等の液中においては、十分な浮力が得られず、輸送貯蔵用密閉容器７１が沈んでしまう虞があった。
【０００７】
この発明は、上記のような課題を解決するためになされたもので、輸送時や保管時において収納状態の安全性が向上する収納容器を提供することを目的とする。
【課題を解決するための手段】
【０００８】
上記の目的を達成するために、請求項１記載の発明は、収納容器であって、物体を収納することができる収納体と、弾性を有し、連続する平坦面に収納体の全てが直接接触しないように収納体の外面の一部に取り付けられた緩衝体とを備えたものである。
【０００９】
このように構成すると、輸送時や保管時に収納体が直接衝撃を受けることが少なくなる。
【００１０】
請求項２記載の発明は、請求項１記載の発明の構成において、収納体は、気密性を有する可撓性材料よりなり、気体が封入された筒形状を有するものである。
【００１１】
このように構成すると、収納体自体も衝撃を吸収すると共に、脱気時には嵩が小さくなる。
【００１２】
請求項３記載の発明は、請求項２記載の発明の構成において、緩衝体は、収納体の長手方向の両端部近傍の側壁部分を囲うように取り付けられた一対のドーナツ形状の保護部材を含むものである。
【００１３】
このように構成すると、保護部材の大きさによって衝撃吸収範囲が変動する。
【００１４】
請求項４記載の発明は、請求項３記載の発明の構成において、保護部材は、気密性を有する可撓性材料よりなり、その内部に気体を封入することができるものである。
【００１５】
このように構成すると、気体の封入時には液中で浮力を発生すると共に、脱気時には嵩が小さくなる。
【００１６】
請求項５記載の発明は、請求項２から請求項４のいずれかに記載の発明の構成において、収納体は、物体を収納する収納部と、収納部の外面の少なくとも一部を囲うように取り付けられ、収納部との間の空間に気体を封入できる外殻部とを含むものである。
【００１７】
このように構成すると、外殻部により収納部に加わる衝撃力が緩和される。
【００１８】
請求項６記載の発明は、請求項４記載の収納容器を輸送する輸送方法であって、輸送用コンテナを準備する工程と、保護部材の気体が脱気された状態の収納容器を輸送用コンテナの内部に収容する工程と、保護部材に気体を注入して、保護部材の各々を輸送用コンテナの内面に対し押圧状態にして収納容器を固定する工程とを備えたものである。
【００１９】
このように構成すると、収納容器が輸送用コンテナに固定される。
【発明の効果】
【００２０】
以上説明したように、請求項１記載の発明は、輸送時や保管時に収納体が直接衝撃を受けることが少なくなるため、収納状態の安全性が向上する。
【００２１】
請求項２記載の発明は、請求項１記載の発明の効果に加えて、収納体自体も衝撃を吸収すると共に、脱気時には嵩が小さくなるため、安全性がより向上すると共に、不使用時の保管容積が低減するので使い勝手が向上する。
【００２２】
請求項３記載の発明は、請求項２記載の発明の効果に加えて、保護部材の大きさによって衝撃吸収範囲が変動するため、衝撃吸収力の調整が容易となる。
【００２３】
請求項４記載の発明は、請求項３記載の発明の効果に加えて、気体の封入時には液中で浮力を発生すると共に、脱気時には嵩が小さくなるため、収納体の重さに応じて液面を浮遊させることが可能となり、又、不使用時の保管容積が低減するので、使い勝手が向上する。
【００２４】
請求項５記載の発明は、請求項２から請求項４のいずれかに記載の発明の効果に加えて、外殻部により収納部に加わる衝撃力が緩和されるため、安全性が更に向上する。
【００２５】
請求項６記載の発明は、収納容器が輸送用コンテナに固定されるため、収納容器に衝撃が加わる虞が低減し、輸送状態の信頼性が向上する。
【図面の簡単な説明】
【００２６】
【図１】この発明の第１の実施の形態による収納容器の概略斜視図である。
【図２】図１で示したＩＩ−ＩＩラインから見た断面図である。
【図３】図１で示したＩＩＩ−ＩＩＩラインから見た拡大端面図である。
【図４】図１で示した収納容器が平坦面において横転したときの概略正面図である。
【図５】図１で示した収納容器の液中における概略正面図である。
【図６】この発明の第２の実施の形態による収納容器の概略斜視図であって、図１に対応した図である。
【図７】図６で示したＶＩＩ−ＶＩＩラインから見た断面図であって、図２に対応した図である。
【図８】図６で示したＶＩＩＩ−ＶＩＩＩラインから見た拡大端面図であって、図３に対応した図である。
【図９】図６で示したＩＸ−ＩＸラインから見た拡大端面図であって、図８に対応した図である。
【図１０】図６で示した収納容器の収納体に、水平方向から衝撃が加わったときの状態を示す概略断面図である。
【図１１】この発明の第３の実施の形態による収納容器の断面図であって、図２に対応した図である。
【図１２】図１１で示したＸＩＩ−ＸＩＩラインから見た拡大端面図であって、図３に対応した図である。
【図１３】この発明の第４の実施の形態による収納容器を輸送するための輸送用コンテナへの設置工程を示す一部破断の概略正面図である。
【図１４】特許文献１で開示された従来の輸送貯蔵用密閉容器を示す概略断面図である。
【発明を実施するための形態】
【００２７】
図１は、この発明の第１の実施の形態による収納容器の概略斜視図であり、図２は、図１で示したＩＩ−ＩＩラインから見た断面図であり、図３は、図１で示したＩＩＩ−ＩＩＩラインから見た拡大端面図である。
【００２８】
これらの図を参照して、収納容器１１は、物体をその内部に収納することができ、気密性及び可撓性を有するゴム材料よりなり、その内部に気体が封入された円筒形状を有する収納体２１と、弾性、気密性及び可撓性を有するゴム材料よりなり、その内部に気体を封入することができ、収納体２１の長手方向の両端部近傍の側壁２２部分を囲うように取り付けられた一対のドーナツ形状を有する緩衝体３１である保護部材３２ａ及び３２ｂとから構成される。
【００２９】
収納体２１は、その側壁２２の長手方向の中央付近で水平方向に、気密状態を保持することができるファスナー２３が形成されている。このファスナー２３を開閉することによって、物体を収納体２１内へ出し入れできるようになっている。尚、収納体２１は、使用時においては、その内部に気体を封入され、気密状態となっている。一方、脱気時には嵩が小さくなるため、不使用時には保管容積が低減するので使い勝手が向上する。
【００３０】
保護部材３２ａ及び３２ｂの各々は、その内部に気体を封入した後に、気密状態を保持するための栓体３３ａ及び３３ｂを各々有している。尚、保護部材３２ａ及び３２ｂは、使用時においては、その内部に気体を封入され、気密状態となっている。一方、脱気時には嵩が小さくなるため、不使用時には保管容積が低減するので使い勝手が向上する。
【００３１】
ここで、収納容器１１の断面構造について説明する。尚、保護部材３２ａ及び３２ｂの各々は、上下対称に構成されているので、ここでは保護部材３２ｂを中心に説明する。又、収納容器１１は左右対称に構成されているので、ここでは収納容器１１の右方を中心に説明する。
【００３２】
図２を参照して、収納容器１１の垂直方向の高さはＨ１に、収納体２１の垂直方向の高さはＨ２に、収納体２１の下端と保護部材３２ｂの下端との垂直方向の高さの差はＨ３に設定されている。すなわち、図２で示したように、収納容器１１を図示しない平坦面に載置した場合、保護部材３２ｂの下端が平坦面と当接することになり、収納体２１の下端は平坦面と接しないように設定されている。このように構成することにより、輸送時や保管時に収納体２１が直接衝撃を受けることが少なくなる。
【００３３】
収納容器１１の水平方向の長さ（直径）はＤ１に、収納体２１の水平方向の長さ（直径）はＤ２に、収納体２１の右端と保護部材３２ｂの右端との水平方向の長さの差はＤ３に設定されている。このように構成した理由については、後述する。
【００３４】
次に、収納容器１１が横転したときの使用状態について説明する。
【００３５】
図４は、図１で示した収納容器が平坦面において横転したときの概略正面図である。
【００３６】
図を参照して、収納容器１１は、保護部材３２ａ及び３２ｂが連続する平坦面１に当接している。図２を参照して、収納体２１の右端と保護部材３２ｂの右端との水平方向の長さの差はＤ３に設定されていたので、図４で示した収納容器１１の横転時には、差分Ｄ３によって保護部材３２ａ及び３２ｂが平坦面１と当接することになり、収納体２１は平坦面１と接することがない。従って、輸送時や保管時に収納容器１１が平坦面１で横転や落下等した場合にも、収納体２１は直接衝撃を受けることが少なくなるため、収納状態の安全性が向上する。
【００３７】
収納容器１１の保護部材３２ａ及び３２ｂは、図２で示したように、図４で示した連続する平坦面１に対して収納体２１の全てが直接接触しないように収納体２１の外面である側壁２２に取り付けられており、その内部に気体を封入しているので、収納体２１を保護する緩衝体３１として機能するように設定されている。そのため、保護部材３２ａ及び３２ｂの大きさを変えることで、収納容器１１の横転時や落下時等における衝撃吸収範囲を変動させることができる。すなわち、衝撃吸収力の調整が容易となる。又、保護部材３２ａ及び３２ｂの各々の内部に入れる気体の圧力を変えることで、緩衝効果を調整することもできる。
【００３８】
又、収納容器１１の収納体２１は、その内部に気体を封入しているので、収納体２１自体も衝撃を吸収することができ、安全性がより向上するものとなっている。
【００３９】
次に、収納容器１１の液中での使用状態について説明する。
【００４０】
図５は、図１で示した収納容器の液中における概略正面図である。
【００４１】
図を参照して、収納容器１１は、海等における液中に浮かんだ状態にある。液面２上には、実線で示した収納容器１１の収納体２１、保護部材３２ａ及び３２ｂが現われている。一方、液面２下には、破線で示した収納容器１１の収納体２１、保護部材３２ａ及び３２ｂが位置している状態である。
【００４２】
保護部材３２ａ及び３２ｂは、その内部に気体が封入されているので、液中で浮力を発生することになる。従って、収納容器１１の収納体２１の重さに応じて、液面２を浮遊することが可能になる。尚、収納容器１１の収納体２１の重さに応じて、保護部材３２ａ及び３２ｂの大きさを変えることで、収納容器１１の液中での浮力を調整することも容易となる。
【００４３】
又、収納体２１自体も、その内部に気体を封入されているので、液中で浮力を発生させることになる。尚、収納体２１のファスナー２３は、上述のように液中においても気密状態を保持することができるように形成されている。
【００４４】
図６は、この発明の第２の実施の形態による収納容器の概略斜視図であって、図１に対応した図であり、図７は、図６で示したＶＩＩ−ＶＩＩラインから見た断面図であって、図２に対応した図であり、図８は、図６で示したＶＩＩＩ−ＶＩＩＩラインから見た拡大端面図であって、図３に対応した図であり、図９は、図６で示したＩＸ−ＩＸラインから見た拡大端面図であって、図８に対応した図である。
【００４５】
尚、この第２の実施の形態による収納容器１２は、図１で示した第１の実施の形態による収納容器１１と基本的な構成は同一である。ここでは、その相違点を中心に説明する。
【００４６】
これらの図を参照して、収納容器１２の収納体２１は、物体をその内部に収納する円筒形状の収納部２４と、収納部２４の外面に取り付けられた線条体からなる複数の固定部材３０と、固定部材３０の各々の他方端がその内面で接続され、収納部２４の全面を囲う円筒形状の外殻部２７とから構成される。収納部２４と外殻部２７との間の空間５５には、気体が封入できるようになっている。すなわち、収納部２４と外殻部２７とは各々気密性を有するように構成されている。
【００４７】
収納部２４は、その側壁２５の長手方向の中央付近で水平方向に、気密状態を保持することができるファスナー２６が形成されている。このファスナー２６を開閉することによって、物体を収納部２４内へ出し入れできるようになっている。尚、収納部２４は、使用時においては、その内部に気体が封入され、気密状態となっている。一方、脱気時には嵩が小さくなるものである。
【００４８】
外殻部２７は、その側壁２８の長手方向の中央付近において水平方向に長くなるように、展開視コの字形状を有し、気密状態を保持することができるファスナー２９が形成されている。このファスナー２９を開閉することによって、外殻部２７の内部にある収納部２４を露出することができるようになっている。又、このように構成することにより、物体を収納部２４の内部に出し入れしやすくなる。尚、収納部２４と外殻部２７との間の空間５５は、使用時においては、気体が封入され、気密状態となっている。一方、脱気時には嵩が小さくなるものである。
【００４９】
次に、収納容器１２に水平方向からの衝撃が加わった状態について説明する。
【００５０】
図１０は、図６で示した収納容器の収納体に、水平方向から衝撃が加わったときの状態を示す概略断面図である。
【００５１】
図を参照して、収納容器１２は、その収納体２１に、実線の矢印で示したように水平方向から障害物６１が当たった状態である。障害物６１による衝撃で、収納体２１の外殻部２７の外壁２８が凹んだ状態にあり、障害物６１の左端と、収納体２１の外殻部２７の外壁２８とが当接している。しかし、収納体２１の収納部２４までには、障害物６１の衝撃は達していない。
【００５２】
このように、収納容器１２の保護部材３２ａ及び３２ｂとの上下方向の間にできる隙間から障害物６１が収納体２１に達した場合でも、外殻部２７により収納部２４に加わる衝撃力が緩和されることになり、図１で示した収納容器１１に比べて、安全性が更に向上することになる。尚、ドーナツ形状を有する保護部材３２ａ及び３２ｂの各々の円形の平面視開口部３５ａ及び３５ｂの各々から障害物６１が収納体２１に達した場合でも、同様に外殻部２７により収納部２４に加わる衝撃力が緩和されることになる。
【００５３】
又、収納部２４と外殻部２７との間の空間５５に入れる気体の圧力を変えることで、障害物６１による緩衝効果を調整することができる。
【００５４】
図１１は、この発明の第３の実施の形態による収納容器の断面図であって、図２に対応した図であり、図１２は、図１１で示したＸＩＩ−ＸＩＩラインから見た拡大端面図であって、図３に対応した図である。
【００５５】
尚、この第３の実施の形態による収納容器１３は、図６で示した第２の実施の形態による収納容器１２と基本的な構成は同一である。ここでは、その相違点を中心に説明する。
【００５６】
これらの図を参照して、収納容器１３の収納体２１は、その収納部２４と、収納部２４に形成されたファスナー２６のある外壁２５の部分以外を囲うようにして、収納部２４に接着材等によって取り付けられた外殻部２７とから構成される。尚、収納部２４と外殻部２７との間の空間５５は、気体が封入され、気密状態となっている。又、外殻部２７は、空間５５に気体を封入した後に、気密状態を保持するための図示しない栓体を有している。
【００５７】
このように構成することによって、収納容器１３は、図６で示した収納容器１２に比べて、収納体２１を容易に製造できる。又、複数の固定部材３０も不要であるので、製造コストの低減にも寄与する。更に、収納部２４への物体の出し入れに際して、ファスナー２６は１個であるので、使用勝手が良い。
【００５８】
次に、収納容器を輸送用コンテナで輸送する方法について説明する。
【００５９】
図１３は、この発明の第４の実施の形態による収納容器を輸送するための輸送用コンテナへの設置工程を示す一部破断の概略正面図である。
【００６０】
尚、この第４の実施の形態による収納容器１４は、図１で示した第１の実施の形態による収納容器１１と基本的な構成は同一である。又、収納容器１４ａ及び１４ｂは、基本的な構成は同一であるので、ここでは収納容器１４ａを中心に説明する。
【００６１】
図１３の（１）を参照して、まず収納容器１４ａを、その内部にいれて輸送するための輸送用コンテナ５を地面等の平坦面１の上に載置する。そして、保護部材３２ａ及び３２ｂの内部の気体が脱気された状態の収納容器１４ａを、輸送用コンテナ５の内部に収容する。尚、収納容器１４ａを載置したときに、その下端となる保護部材３２ｂは、載置する際の衝撃を緩衝するために、脱気していなくても良い。
【００６２】
図１３の（２）を参照して、次に、保護部材３２ａ及び３２ｂの各々の栓体３３ａ及び３３ｂを外して、そこから保護部材３２ａ及び３２ｂの各々に気体を注入して、保護部材３２ａ及び３２ｂの各々を膨張させ輸送用コンテナ５の内面の天井面６及び床面７に対し押圧状態にして、収納容器１４ａを輸送用コンテナ５内に固定する。そして、保護部材３２ａ及び３２ｂの各々に、栓体３３ａ及び３３ｂの各々を取り付けて、気密状態を保持する。
【００６３】
このようにして、収納容器１４ａが輸送用コンテナ５内に固定される。従って、輸送用コンテナ５内に設置された収納容器１４ａは不用意に移動することはなく、又、衝撃が加わる虞は低減することになり、輸送状態の信頼性が向上することになる。
【００６４】
尚、上記の各実施の形態では、収納容器の収納体は、特定の素材から形成されていたが、その他の素材から形成されていても良い。
【００６５】
又、上記の各実施の形態では、収納容器の収納体は、円筒形状を有するものであったが、物体を収納することができるものであれば、他の筒形状や、その他の形状であっても良い。
【００６６】
更に、上記の各実施の形態では、収納容器の緩衝体は、弾性、気密性及び可撓性を有する特定の素材から形成されていたが、弾性を有するものであれば、素材自体が弾性体や、その他の構成から形成されていても良い。
【００６７】
更に、上記の各実施の形態では、収納容器の緩衝体は、特定の形状を有するものであったが、連続する平坦面に収納体の全てが直接接触しないように収納体の外面の一部に取り付けられたものであれば、一対でなくても良く、その他の形状であっても良い。又、その他の位置で収納体に取り付けられていても良い。
【００６８】
更に、上記の各実施の形態では、収納容器の収納体は、ファスナーを有するものであったが、ファスナーは無くても良い。
【００６９】
更に、上記の各実施の形態では、収納容器の保護部材は、栓体を有するものであったが、気密性を保持するものであれば、栓体でなくても良い。又は、栓体は無くても良い。
【００７０】
更に、上記の各実施の形態では、収納容器は、上下対称に形成されていたが、上下対称に形成されていなくても良い。
【００７１】
更に、上記の各実施の形態では、収納容器の収納体及び保護部材は、特定の長さ及び特定の位置関係にあったが、連続する平坦面に収納体の全てが直接接触しないように形成されていれば、その他の長さや、その他の位置関係にあっても良い。
【００７２】
更に、上記の第２の実施の形態では、収納体のファスナーは、特定形状を有していたが、それ以外の形状であっても良い。
【００７３】
更に、上記の第２の実施の形態では、収納体の収納部と外殻部とは、特定形状の固定部材で接続されていたが、それ以外の形状の固定部材であっても良い。
【００７４】
更に、上記の第３の実施の形態では、収納体の外殻部は、収納部の特定位置で接着材により取り付けられたものであったが、それ以外の位置で取り付けられていても良い。又、接着剤ではなく、例えば溶着等の他の方法で取り付けられていても良い。
【００７５】
更に、上記の第４の実施の形態では、収納容器は、第１の実施の形態による収納容器と同一の構成であったが、第２又は第３の実施の形態による収納容器と同一の構成であっても良い。
【００７６】
更に、上記の第４の実施の形態では、収納容器は、輸送用コンテナの内面の天井面及び床面に対し押圧状態にして固定していたが、輸送用コンテナの内面の対向する側壁間に対し押圧状態にして固定しても良い。
【符号の説明】
【００７７】
１…平坦面
２…液面
５…輸送用コンテナ
１１〜１４…収納容器
２１…収納体
２２…側壁
２４…収納部
２７…外殻部
２８…側壁
３１…緩衝体
３２…保護部材
５５…空間
尚、各図中同一符号は同一又は相当部分を示す。
【図１】
2015091715.tif 000003
【図２】
2015091715.tif 000004
【図３】
2015091715.tif 000005
【図４】
2015091715.tif 000006
【図５】
2015091715.tif 000007
【図６】
2015091715.tif 000008
【図７】
2015091715.tif 000009
【図８】
2015091715.tif 000010
【図９】
2015091715.tif 000011
【図１０】
2015091715.tif 000012
【図１１】
2015091715.tif 000013
【図１２】
2015091715.tif 000014
【図１３】
2015091715.tif 000015
【図１４】
2015091715.tif 000016